(57)【要約】【課題】燃焼機器本体への燃料供給タンクの着脱作業を容易にし、給油作業時の負担を軽減して使い勝手の向上を図るものである。【解決手段】燃焼機器本体２１と、燃焼機器本体に設け、燃料を一時的に貯留する油受け容器２４と、油受け容器に着脱自在に設け、燃料を油受け容器に供給する持ち運び可能な燃料供給タンク２３と、油受け容器の上部に位置して燃焼機器本体内に設け、燃料供給タンクを収納するタンク収納部２５およびタンク収納部をカバーする開閉扉２６とを備え、タンク収納部は、燃焼機器本体の横方向から燃料供給タンクを着脱できるように構成した石油暖房燃焼機である。【選択図】  図１
2004245513.tif 000002
【特許請求の範囲】
【請求項１】
燃焼機器本体と、前記燃焼機器本体に設け、燃料を一時的に貯留する油受け容器と、前記油受け容器に着脱自在に設け、燃料を前記油受け容器に供給する持ち運び可能な燃料供給タンクと、前記油受け容器の上部に位置して前記燃焼機器本体内に設け、前記燃料供給タンクを収納するタンク収納部およびタンク収納部をカバーする開閉扉とを備え、前記タンク収納部は、前記燃焼機器本体の横方向から前記燃料供給タンクを着脱できるように側面を開放してなる石油燃焼機。
【請求項２】
タンク収納部は、少なくとも燃焼機器本体の上面と側面あるいは背面あるいは前面のいずれか２面を開口し、開閉扉は前記２面を同時に開閉する構成にしてなる請求項１記載の石油燃焼機。
【請求項３】
タンク収納部は、少なくとも燃焼機器本体の上面と側面あるいは背面あるいは前面のいずれか２面を開口した構成にするとともに、開閉扉は横方向に回動して前記開口した２面をカバーし、かつ、油受け容器に装着した燃料供給タンクの上部との間に、所定の間隙を有する構成とした請求項１または請求項２記載の石油燃焼機。
【請求項４】
タンク収納部は、少なくとも開口した２面のうち、燃焼機器本体の側面あるいは背面のどちらか１面を開閉扉でカバーし、前記燃焼機器本体の上面を、燃料供給タンクの上面でカバーしてなる請求項２記載の石油燃焼機。
【発明の詳細な説明】
【０００１】
【発明の属する技術分野】
本発明はカートリッジ式の燃料供給タンクを着脱自在に備えた石油燃焼暖房機等の石油燃焼機に関するものである。
【０００２】
【従来の技術】
従来の石油燃焼暖房機等の石油燃焼機について、図６〜図９を用いて説明する。図６に示すように、長方形状の燃焼機器本体１は、前面下部のルーバ２の部分より、石油を燃焼させて空気を温めた温風を吹出して部屋を暖房するものである。そして、燃焼機器本体１は、石油を供給するカートリッジ式の持ち運び可能な燃料供給タンク３を燃焼機器本体１の上方より燃焼機器本体１の左隅上面に開口４ａしたタンク収納部４に着脱自在に設置している。
【０００３】
すなわち、燃料供給タンク３は、石油を補給する時には開閉扉５を開き、取っ手６を持ってタンク収納部４より、燃料供給タンク３の長さ以上に持ち上げて取りだし、また石油を補給した燃料供給タンク３をタンク収納部４に設置する時には、取っ手６を持って持ち運んできた燃料供給タンク３を、燃焼機器本体１の高さ以上に持ち上げ、かつタンク収納部４の真上に横移動させて開口４ａに合わせながらタンク収納部４内に下ろして設置するものである。
【０００４】
このように取り扱う燃料供給タンク３は、使い勝手上から使用中における燃料補給の回数を少なくして手間を省くことと、燃焼機器本体１における設置スペースを小さくするために図８、図９に示すように縦長の直方体に形成され、上面に取っ手６を、下面中央に石油を供給する給油口７を設け、この給油口７に弁機構８を有する給油キャップ９を取り付け、給油口７の端面７ａを給油キャップ９に設けたシール面８ｃでシールすることにより、弁機構８を介して給油口７の開放状態と閉塞状態を保つような構成としている。
【０００５】
そして、燃料供給タンク３は、燃焼機器本体１のタンク収納部４に設置する時は、図７に示すように給油口７を下向きにして燃焼機器本体１内の下部に設けてある油受け容器１０の受け部１０ａに嵌合することで、燃料供給タンク３の全体の重量を受けて受け部１０ａ内に設けた固定の弁押し上げピン１１により弁体８ｂが内蔵バネ８ａおよび石油の圧力に抗して押し上げられ、弁機構８の吐出口１２が強制的に開放され油受け容器１０に石油が供給され、油受け容器１０内の油面が弁機構８の吐出口１２に達すると燃料供給タンク３からの石油の供給が停止する。従って、油受け容器１０内の燃料が消費され油面が低下する毎に、燃料供給タンク３からの燃料の供給が開始される。この繰り返しにより燃料供給タンク３から油受け容器１０への燃料の供給が自動的に行われる。
【０００６】
次に、燃料供給タンク３の燃料が消費され補給が必要となった場合は、燃焼機器本体１のタンク収納部４から燃料供給タンク３を取り出すことで、弁押し上げピン１１が弁機構８から離れ、弁機構８は内蔵バネ８ａにより弁体８ｂを吐出口１２に密着させることで閉塞状態となり、燃料供給タンク３からの燃料の流出を防止する。この状態で燃料供給タンク３を反転させ、給油キャップ９を上向きにして給油キャップ９を緩め、給油口７から取り外す。そして、給油口７から石油を補給したのち再び、給油キャップ９を螺合させて給油口７に取り付け、燃焼機器本体１に逆転装着することで、油受け容器１０への供給が開始されるものである。
【０００７】
つまり、従来の燃料供給タンク３の着脱操作は、燃料供給タンク３を燃焼機器本体１の上方まで持ち上げ、タンク収納部４の上方から着脱するようになっていた。
【０００８】
上記したように従来の構成においては、燃料供給タンク３を燃焼機器本体１のタンク収納部４に着脱する際、空の場合は負担が少ないが、燃料を補給して満量となった燃料供給タンク３を燃焼機器本体１のタンク収納部４に装着する時は、重量が増大しているため、燃焼機器本体１の上方まで持ち上げ、かつタンク収納部４の真上に横移動させて開口４ａに合わせながらタンク収納部４内に下ろして設置する必要があり、使用者の最も大きな負担となっている。
【０００９】
特に近年、燃料供給タンク３は使い勝手上から給油回数を減らして給油の手間を省くため、どんどん大容量化の傾向にあり、９リットルを超えるものまで出てきている。例えば、９リットルの燃料供給タンクであれば、燃料供給タンク自身の重量と燃料の重量を合わせると１０ｋｇを超えるような重量となる。
【００１０】
また、燃焼機器本体１も設置の省スペース化の観点から、そのフォルムも横長のものより縦長のものが増えてきており、タンク収納部４に燃料供給タンク３を燃焼機器本体１より上方へ持ち上げて装着する作業が益々困難となっている。
【００１１】
また、燃料供給タンク３の装着作業は、設置者の姿勢的にも燃料供給タンク３をタンク収納部４の上方真上へ、体から離して持ち上げなければならなく負担が大きい。特に、上背の低い人や力の弱い人、例えばお年寄りや女性等は負担が極めて大きくなり、給油の度毎に燃料供給タンク３の着脱作業が煩わしいものであった。
【００１２】
さらに、燃料供給タンク３の容量が大型化する中にあって、燃料供給タンク３に燃料を満量まで入れると、燃料供給タンク３を燃焼機器本体１の上方まで持ち上げられない、あるいは負担が大きくなり過ぎる等の理由で、燃料を燃料供給タンク３の途中まで入れて使うという使用者もあり、その結果、給油作業を頻繁に行わなければならなくなり、タンク容量を大型化し給油回数の手間を省くという製造者の意図に反した使用方法が行われている。
【００１３】
【発明が解決しようとする課題】
上記従来の技術の問題点に鑑み、本発明が解決しようとする課題は、燃料補給時における燃料供給タンクの燃焼機器本体への着脱作業の負担を軽減し、使い勝手の向上を図った石油燃焼機を提供することを目的とするものである。
【００１４】
【課題を解決するための手段】
上記課題を解決するために本発明は、油受け容器の上部に位置して燃焼機器本体内に設けたタンク収納部を、前記燃焼機器本体の横方向から燃料供給タンクを着脱できるように構成してなる石油燃焼機としている。
【００１５】
上記手段によれば、従来の技術のように燃料供給タンクを燃焼機器本体の上方まで持ち上げずに使用者は着脱が容易に行うことができ、特に燃料が満量で重量物となる燃料供給タンクを、使用者が無理な姿勢で持ち上げなくてもよくなり、着脱作業の負担が大幅に軽減でき、大幅に使い勝手を向上できる。
【００１６】
また、油受け容器の上部およびタンク収納部内も燃焼機器本体の横方向から容易に掃除することができる。
【００１７】
【発明の実施の形態】
上記した本発明の目的は、各請求項に記載した構成を実施の形態とすることにより達成できるので、以下には各請求項に記載の構成にその構成による作用効果を併記し併せて請求項記載の構成のうち説明を必要とする特定用語については詳細な説明を加えて実施の形態とする。
【００１８】
請求項１記載に係る発明は、燃焼機器本体と、前記燃焼機器本体に設け、燃料を一時的に貯留する油受け容器と、前記油受け容器に着脱自在に設け、燃料を前記油受け容器に供給する持ち運び可能な燃料供給タンクと、前記油受け容器の上部に位置して前記燃焼機器本体内に設け、前記燃料供給タンクを収納するタンク収納部およびタンク収納部をカバーする開閉扉とを備え、前記タンク収納部は、前記燃焼機器本体の横方向から前記燃料供給タンクを着脱できるように側面を開放した構成とした石油燃焼機である。
【００１９】
上記実施の形態によれば、タンク収納部には燃料供給タンクを燃焼機器本体の横方向から着脱できるようになり、従来の技術のように燃料供給タンクを燃焼機器本体の上方まで持ち上げずに使用者は着脱を容易に行うことができ、使い勝手を向上できる。
【００２０】
また特に、燃料が満量で重量物となる燃料供給タンクを、使用者は無理な姿勢で燃焼機器本体の上方まで持ち上げなくてもよくなり、着脱作業の負担が大幅に軽減される。さらに、タンク収納部内はもちろん、油受け容器の上部も燃焼機器本体の横方向から臨めるので、タンク収納部および油受け容器の上部を容易に掃除することができるとともに、シーズン終了後の機器収納作業時において、油受け容器から残った燃料を抜き取る際も、従来の技術における燃焼機器本体の上面に臨むタンク収納部の開口からホースなどを差し込んでする必要ががなく、油漏れ等の心配もなく、燃焼機器本体の横方向から簡単に行うことができる。
【００２１】
請求項２記載に係る発明は、請求項１記載の石油燃焼機にあって、タンク収納部は、少なくとも燃焼機器本体の上面と側面あるいは背面あるいは前面のいずれか２面を開口し、開閉扉は前記２面を同時に開閉する構成にしたものである。
【００２２】
上記実施の形態によれば、タンク収納部は少なくとも燃焼機器本体の上面と側面あるいは背面あるいは前面のいずれか２面が開閉扉により同時に開閉されるため、タンク収納部の開閉操作が容易になり、そしてタンク収納部内も燃焼機器本体の斜め上方から容易に臨めて燃料供給タンクの設置はもちろん、タンク収納部内および油受け容器の上部の掃除と、油受け容器から残った燃料を抜き取る際も、容易かつ確実に行うことができる。
【００２３】
請求項３記載に係る発明は、請求項１または２記載の石油燃焼機にあって、タンク収納部は、少なくとも燃焼機器本体の上面と側面あるいは背面あるいは前面のいずれか２面を開口するとともに、開閉扉は横方向に回動して前記開口した２面をカバーし、かつ、油受け容器に装着した燃料供給タンクの上部との間に、所定の間隙を有する構成としたものである。
【００２４】
上記実施の形態によれば、請求項２記載の実施の形態と同じ作用効果を期待できるとともに、開閉扉の開閉操作が容易になるとともに、開いた開閉扉が燃料供給タンクの着脱に邪魔になることもなく、使い勝手の向上が図れる。
【００２５】
また、油受け容器に装着した燃料供給タンクの上部と開閉扉との間に所定の間隙があるため、燃焼機器本体が何らかの原因で転倒した時に、燃料供給タンクは油受け容器から前記した間隙の分だけ移動することになり、例えば燃料供給タンクの弁機構が、間隙の分だけ移動することで作動して閉塞するようにしておけば、燃料供給タンク内の燃料が流出し続けるという問題をなくすことも可能になる。
【００２６】
請求項４記載に係る発明は、請求項２記載の石油燃焼機にあって、タンク収納部は、少なくとも開口した２面のうち、燃焼機器本体の側面あるいは背面のどちらか１面を開閉扉でカバーし、前記燃焼機器本体の上面を、燃料供給タンクの上面でカバーする構成にしたものである。
【００２７】
上記実施の形態によれば、燃焼機器本体の上面は燃料供給タンクの上面を利用してカバーするので、開閉扉および全体の構成の簡素化を図ることができるとともに、燃焼機器本体が何らかの原因で転倒した時に、燃料供給タンクは油受け容器から容易に移動することになり、例えば燃料供給タンクの弁機構が、燃料供給タンクが油受け容器から移動することで作動して閉塞するようにしておけば、燃料供給タンク内の燃料が流出し続けるという問題をなくすことも可能になる。
【００２８】
【実施例】
以下本発明の石油燃焼機である石油燃焼暖房機の一実施例について、図面を用いて説明する。
【００２９】
（実施例１）
図１は本発明の実施例１における石油燃焼暖房機の燃料供給タンク部分の着脱構成を示す斜視図で、図２は同燃料供給タンクの正面図で、図３は同燃料供給タンクの給油キャップの要部断面図、図４は同燃料供給タンクの設置状態を示す要部半裁の断面図である。
【００３０】
図において、長方形状の燃焼機器本体２１は、前面下部のルーバ２２の部分より、燃料である石油を燃焼させて空気を温めた温風を吹出して部屋を暖房するものである。そして、燃焼機器本体２１は、石油を供給するカートリッジ式の持ち運び可能な燃料供給タンク２３を燃焼機器本体２１の右隅部分の横方向（水平方向を含む）より、燃焼機器本体２１の下部に設けた燃料を一時的に貯留する油受け容器２４の上部に位置したタンク収納部２５に矢印で示すように出し入れ自在に、かつ油受け容器２４に着脱自在に設置している。
【００３１】
すなわち、タンク収納部２５は燃焼機器本体２１内の右隅部分に縦方向に設け、燃焼機器本体２１の上面と右側面および背面の３面に臨む開放した開口を有し、この３面の開口を同時に開閉できる開閉扉２６を燃焼機器本体２１の背面板にヒンジ（図示せず）を介して横方向へ矢印で示すように回動自在に設けている。また、タンク収納部２５は油受け容器２４に装着した燃料供給タンク２３の上面と開閉扉２６の上面との間に所定の間隙ｈを設けて、燃焼機器本体２１が何らかの原因で転倒した時に、燃料供給タンク２３が油受け容器２４から間隙ｈの分だけ移動（ずれる）することで、燃料供給タンク２３の弁機構（後述する）が作動して閉塞できるように構成している。
【００３２】
従って、燃料供給タンク２３は、石油を補給する時には開閉扉２６を燃焼機器本体２１の背面側へ回動して開き、上面に設けた取っ手２７を持ってタンク収納部２５より、間隙ｈだけ持ち上げて弁機構が閉じてから横方向へ取りだし、また石油を補給した燃料供給タンク２３をタンク収納部２５に設置する時には、取っ手２７を持って持ち運んできた燃料供給タンク２３を、開いているタンク収納部２５の横方向から持ち運んでタンク収納部２５の真上に横移動させて少なくとも間隙ｈだけタンク収納部２５内に下ろして油受け容器２４上に設置するものである。
【００３３】
このように取り扱う燃料供給タンク２３は、使い勝手上から使用中における燃料補給の回数を少なくして手間を省くことと、燃焼機器本体２１における設置スペースを小さくするために図２に示すように縦長の略直方体に形成され、上面に取っ手２７を、下面中央に石油を供給する給油口２８を設けている。２８ａは給油口２８の外周部に設けたネジ部で、２９は燃料供給タンク２３の燃料の量を確認する油量窓である。
【００３４】
３０は給油口２８のネジ部２８ａに着脱自在に螺合した給油キャップで、給油キャップ３０の内面に設けたネジ部３０ａと給油口２８のネジ部２８ａとが噛み合うようになっている。３１は給油キャップ３０内に一体化して設けた複数個の貫通孔３１ａを有する弁筒で、内部に弁機構３２を設けている。弁機構３２は給油キャップ３０と弁筒３１間に内装してあり、弁体３４と弁座３５およびバネ３６で構成し、給油キャップ３０の吐出口３３の開閉を行う。３７は油受け容器２４の上面に取りつけた筒状の受け口で、燃料供給タンク２３の給油キャップ３０を受け、かつ弁機構３２を開閉する弁押し上げピン３８が底部中央に突起してある。
【００３５】
上記実施例において、その動作を説明すると、まず給油キャップ３０を下向きにして燃料供給タンク２３を油受け容器２４の受け口３７に装着すると、弁押し上げピン３８が弁体３４をバネ３６に抗して押し上げ、弁座３５による給油キャップ３０の吐出口３３の閉塞状態が解除される。これにより、燃料供給タンク２３の燃料は受け口３７を介して油受け容器２４内に供給され、給油キャップ３０の吐出口３３の油面高さまで蓄えられる。
【００３６】
そして、燃焼機器本体２１のバーナ（図示せず）で消費され油受け容器２４内の油面が低下すると、吐出口３３より燃料供給タンク２３内に空気が入り、この空気の置換作用で燃料供給タンク２３の燃料は油受け容器２４内に供給される。この繰り返しにより油受け容器２４内の油面は一定油面を保持する。燃料供給タンク２３内の燃料が給油キャップ３０の端部、つまり吐出口３３まで減少してくると、弁筒３１の外周部に設けた複数の貫通孔３１ａより燃料の供給は継続され、燃料供給タンク２３内の燃料はほとんど使いきることになる。
【００３７】
次に、燃料供給タンク２３の燃料が空になると、燃料供給タンク２３を受け口３７から取り外す。この時、弁機構３２は弁押し上げピン３８で弁体３４を押し上げていた動作が解除されるため、弁体３４はバネ３６により元の状態に戻り、弁座３５を介して吐出口３３を閉塞状態に保つ。そして、開閉扉２６を開きタンク収納部２５から燃料供給タンク２３を取り出して給油場所まで運び、給油キャップ３０を給油口２８から取り外してサイフォンポンプなどで給油口２８より給油を行う。
【００３８】
すなわち、タンク収納部２５には油受け容器２４上部近傍から横方向へ開閉する開閉扉２６を配設してあるので、開閉扉２６を横方向に回動させると、燃焼機器本体２１の上面、右側面、背面であるタンク収納部２５の３面が開放状態となり、取っ手２７を持って空の燃料供給タンク２３を少し持ち上げ（少なくとも間隙ｈ以上）て油受け容器２４の受け口３７から嵌合を外して横方向へ移動させタンク収納部２５より取り出すことができる。
【００３９】
また、燃料を補給して満量にした燃料供給タンク２３を油受け容器２４に装着する時は、取っ手２７を持って持ち運んできた燃料供給タンク２３を、開いているタンク収納部２５の横方向から持ち運んでタンク収納部２５の真上に横移動させて少なくとも間隙ｈだけタンク収納部２５内に下ろして油受け容器２４の受け口３７に給油キャップ３０を嵌合して設置し、最後に開閉扉２６を横方向に回動してタンク収納部２５をカバーする。
【００４０】
従って、従来のように取っ手２７を持って持ち運んできた燃料供給タンク２３を、燃焼機器本体２１の上方まで持ち上げて装着する必要がなく、燃料が満量状態で重い燃料供給タンクでも、使用者は容易にタンク収納部２５に着脱操作を行うことができ、使い勝手を向上できる。
【００４１】
さらに、タンク収納部２５に油受け容器２４の上部近傍から開閉する開閉扉２６は、タンク収納部２５の右側面と背面を開放するため、油受け容器２４が間近にあって斜め上方に臨むことができ、油やほこりなどで汚れた油受け容器２４の上面を容易に掃除することができ、また、シーズン終了後の燃焼機器本体２１の収納作業における油受け容器２４から残った燃料の抜き取り作業も、開放したタンク収納部２５の右側面と背面から受け口３７を通じて容易に行うことができる。
【００４２】
さらに、タンク収納部２５の開閉扉２６は、上面側と側面側と背面側を一体構成としているため、ワンアクションで開閉扉２６を操作することができ、燃料供給タンク２３の着脱操作を容易に行うことができる。
【００４３】
さらに、開閉扉２６の開閉方向は横方向となるように構成してあるので、開閉扉２６の開閉が容易になるとともに、開いた開閉扉２６が燃料供給タンク２３の着脱に邪魔になることもなく、使い勝手をさらに増すことができる。
【００４４】
さらに、油受け容器２４に燃料供給タンク２３を装着した時に、燃料供給タンク２３の上面と燃焼機器本体２１のタンク収納部２５の開口上面である開閉扉２６の上面との間に、所定の間隙ｈを有する構成としてあるので、燃焼機器本体２１が何らかの原因で転倒したときに、油受け容器２４から燃料供給タンク２３が間隙ｈの分だけ移動し、弁押し上げピン３８よりずれ弁機構３２が閉塞されるため、燃料供給タンク２３内の燃料が流出し続けることがなく、安全性を向上できる。
【００４５】
なお、上記実施例ではタンク収納部２５を燃焼機器本体２１の上面と右側面および背面の３面において開口させたが、燃焼機器本体２１の上面を除く一つの側面、または燃焼機器本体２１の上面と左右いずれかの側面または背面または前面のいずれか２面が開口してあれば、本実施例と同様の作用効果を期待できるものであり、またタンク収納部２５の形成する位置も燃焼機器本体２１の左右いずれの角部分またはその他の場所でも良く、本発明の目的・効果を達成する範囲であれば実施例１の構成に限られることなくどのように構成してもよいものである。
【００４６】
さらにタンク収納部２５が前記した２面の開口である場合、開閉扉２６も開放した２面、または開放した一つの側面をカバーする横方向の回動とするものである。
【００４７】
（実施例２）
図５は本発明の実施例２における石油燃焼暖房機の燃料供給タンク部分の着脱構成を示す斜視図である。本実施例は、実施例１の発明で述べた部分と同じ構成並びに作用効果を奏するところには同一符号を付して詳細な説明を省略し、異なるところを中心に説明する。
【００４８】
図５において、タンク収納部５５は上面と右側面の２面を開放する開口を有しており、燃料供給タンク２３の上面を燃焼機器本体２１の筐体の一部として利用してタンク収納部５５の上面の開口を閉蓋し、開閉扉５６は、燃焼機器本体２１の背面板にヒンジ（図示せず）を介して取り付け、タンク収納部５５の１面である右側面のみを矢印で示すように横方向に回動して開閉する構成にしてある。
【００４９】
上記実施例において、燃料供給タンク２３のタンク収納部５５への着脱は、実施例１で説明したと同様にして行うことができる。そして、タンク収納部５５の開閉扉５６は、燃焼機器本体２１の右側面であるタンク収納部５５の右側面を横方向から開閉するようにしてあり、タンク収納部５５の上面はそのままで、前記上面が燃焼機器本体２１の筐体の一部をなしているので、タンク収納部５５の構成の簡素化が図れ、開閉扉５６の開閉操作も簡単になり、容易に燃料供給タンク２３を着脱することができる。
【００５０】
さらに、油受け容器２４に燃料供給タンク２３を装着した時に、燃料供給タンク２３の上面は開放してあるので、燃焼機器本体２１が何らかの原因で転倒した時に、油受け容器２４の受け口３７から燃料供給タンク２３が外れて弁機構３２が閉塞し、燃料供給タンク２３内の燃料が流出し続けることがなく安全性が増すようになる。
【００５１】
【発明の効果】
以上のように本発明によれば、燃焼機器本体の上方まで持ち上げずに燃料供給タンクを油受け容器に燃焼機器本体の横方向から着脱でき、使い勝手を向上させることができる。
【図面の簡単な説明】
【図１】本発明の実施例１における石油燃焼暖房機の燃料供給タンク部分の着脱構成を示す斜視図
【図２】同実施例１における石油燃焼暖房機の燃料供給タンクの正面図
【図３】同実施例１における石油燃焼暖房機の燃料供給タンクの要部断面図
【図４】同実施例１における燃料供給タンクの設置状態を示す要部半裁の断面図
【図５】本発明の実施例２における石油燃焼暖房機の燃料供給タンク部分の着脱構成を示す斜視図
【図６】従来の石油燃焼暖房機における燃料供給タンク部分の着脱構成を示す斜視図
【図７】同石油燃焼暖房機における燃料供給タンクの設置状態を示す要部半裁の断面図
【図８】同石油燃焼暖房機における燃料供給タンクの正面図
【図９】同石油燃焼暖房機における燃料供給タンクの持ち運び時の形態を示す図
【符号の説明】
２１  燃焼機器本体
２３  燃料供給タンク
２４  油受け容器
２５、５５  タンク収納部
２６、５６  開閉扉
【図１】
2004245513.tif 000003
【図２】
2004245513.tif 000004
【図３】
2004245513.tif 000005
【図４】
2004245513.tif 000006
【図５】
2004245513.tif 000007
【図６】
2004245513.tif 000008
【図７】
2004245513.tif 000009
【図８】
2004245513.tif 000010
【図９】
2004245513.tif 000011